(57)【特許請求の範囲】
【請求項１】
１個のベーステーブルと、天板がほぼ矩形状で、その１辺の長さが、前記ベーステーブルの天板の１辺の長さのほぼ半分である２個の可動テーブルとからなり、前記両可動テーブルを、互いに背中合わせに接した状態で、前記ベーステーブルの前記１辺に沿うように配置し、前記ベーステーブルの前記１辺の両端部に設けたジョイントにより、前記両可動テーブルを、それぞれ回動自在に枢着したことを特徴とするプレゼンテーション用会議テーブル。
【請求項２】
各可動テーブルの１辺の外側の隅部の下面に下向きに突設した回転軸と、該回転軸を収容する上向き開口する有底筒部を有し、かつベーステーブルの１辺の両端下面に固着された枢着部支持部材とにより、ジョイントを構成した請求項１記載のプレゼンテーション用会議テーブル。
【請求項３】
両可動テーブルの背中合わせとなる天板の下部に、配線受け部を設け、この配線受け部から垂下する配線ケーブル類を保護する縦方向の可撓性ケーブルダクトを、前記可動テーブルの回転軸の近傍に垂設した、請求項１または２記載のプレゼンテーション用会議テーブル。
【請求項４】
可動テーブルの天板の背中合わせとなる辺の中間部に、凹みを形成した、請求項１〜３のいずれかに記載のプレゼンテーション用会議テーブル。
【発明の詳細な説明】
【０００１】
【発明の属する技術分野】
本発明は、会議室、プレゼンテーションルーム等において使用される会議テーブルに関する。
【０００２】
【従来の技術】
昨今のパソコンの普及に伴い、会議やプレゼンテーション等のあり方も変化してきている。すなわち、従来の固定化された会議やプレゼンテーションから、情報機器を駆使した効率的な会議等へ変化してきている。
【０００３】
【発明が解決しようとする課題】
従来の会議テーブルは、固定化されたものが一般的であるため、パソコン、プロジェクター、ビデオ等を駆使した様々なプレゼンテーションのシーンに対応することが難しい。
【０００４】
本発明は、会議テーブルの一部を回動可能として、着座者が投影スクリーン等を見やすいようにし、より効率的なビジュアルプレゼンテーションを可能とし、また、パソコン等をそれぞれの着座者が使用し、より高度な情報機器を駆使したプレゼンテーションを可能とし、さらに、構造的に省スペースを図り、レイアウトが乱れたり美観を損ねることのないようにした、プレゼンテーション用会議テーブルを提供することを目的としている。
【０００５】
【課題を解決するための手段】
本発明によると、上記課題は、次のようにして解決される。
(１) １個のベーステーブルと、天板がほぼ矩形状で、その１辺の長さが、前記ベーステーブルの天板の１辺の長さのほぼ半分である２個の可動テーブルとからなり、前記両可動テーブルを、互いに背中合わせに接した状態で、前記ベーステーブルの前記１辺に沿うように配置し、前記ベーステーブルの前記１辺の両端部に設けたジョイントにより、前記両可動テーブルを、それぞれ回動自在に枢着する。
【０００６】
(２) 上記(１)項において、各可動テーブルの１辺の外側の隅部の下面に下向きに突設した回転軸と、該回転軸を収容する上向き開口する有底筒部を有し、かつベーステーブルの１辺の両端下面に固着された枢着部支持部材とにより、ジョイントを構成する。
【０００７】
(３) 上記(１)または(２)項において、両可動テーブルの背中合わせとなる天板の下部に、配線受け部を設け、この配線受け部から垂下する配線ケーブル類を保護する縦方向の可撓性ケーブルダクトを、前記可動テーブルの回転軸の近傍に垂設する。
【０００８】
(４) 上記(１)〜(３)項のいずれかにおいて、可動テーブルの天板の背中合わせとなる辺の中間部に、凹みを形成する。
【０００９】
【発明の実施の形態】
図１及び図２に示す本発明の一実施形態である会議テーブルは、１台の固定のベーステーブル(１)と２台の可動テーブル(２)とからなっている。
【００１０】
ベーステーブル(１)は、２個の円柱状の固定脚(３)(図２及び図５参照)を備え、その上に天板(４)を取り付けてなるもので、天板(４)の平面形状は、ほぼ四角形で、その１辺（図１の右側の辺）(4a)は、大きな凸状の弧をなしている。
【００１１】
ベーステーブル(１)の１辺(4a)に隣り合わせて、２台の可動テーブル(２)が配置されている。両可動テーブル(２)の天板(５)は、長方形状をなしており、そのベーステーブル側の短辺(5a)は、ベーステーブル(１)の１辺(4a)の長さの半分の長さで、１辺(4a)と同一曲率の凹状の弧をなしている。
【００１２】
また、両可動テーブル(２)の天板(５)の向かい合わせとなる長辺(5b)は、直線状の辺であるが、その中間部に、比較的長い凹み(６)を有しており、これらの長辺(5b)同士を当接させたとき、プロジェクターのような投影器のスタンド支柱が通る隙間(７)を形成するようになっている。
【００１３】
図２に示すように、両可動テーブル(２)は、その天板(５)の両短辺から床面に延びるキャスター(８)付きの脚(９)を有している。
【００１４】
同じく図２に示すように、可動テーブル(２)は、その天板(５)の長辺(5b)付近の下方に、幕板を兼ねる配線ダクト(10)を備えている。この配線ダクト(10)の上方の天板部分には、例えばコンセントを備える複数個の配線ボックス(11)が設けられており、各着席者が、パソコン等の情報機器を使用しうるようになっている。
配線ダクト(10)のベーステーブル(１)寄りの端部付近からは、可撓性のケーブルダクト(12)が垂下し、可動テーブル(２)の外端付近で床面に達している。
【００１５】
ベーステーブル(１)にも、その天板(４)の、両可動テーブル(５)側の１辺(5a)付近の下方に、配線ダクト(13)が設けられている。この配線ダクト(13)の上方の天板部分には、例えばコンセントを備えた複数個の配線ボックス(14)が設けられており、パソコン等の情報機器の使用を可能としている。
【００１６】
配線ダクト(13)の端部付近からは、可撓性のケーブルダクト(15)が垂下し、床面に達している。
【００１７】
図１に示すように、両可動テーブル(２)の短辺(5a)の外端部は、ベーステーブル(１)の１辺(4a)の両外端部に、ジョイント(16)により枢着されている。ジョイント(16)の詳細を、図３及び図４に拡大して示す。
【００１８】
ジョイント(16)は、ベーステーブル(１)の天板(４)の１辺(4a)の端部下面に、３本の木ねじ(18)により固定された枢着部支持部材(17)に設けられ、天板(４)の隅部から、可動テーブル(２)の天板(５)の短辺(5a)の外端部の下方に突出し、かつ上方が開口する有底筒部(20)に、天板(５)の隅部の下面にボルト(23)により固定された回転軸取付板(22)より垂下する回転軸(19)が回動可能に収納されることにより形成されている。
【００１９】
また、回転軸(19)の下端部は、ボルト(23)により有底筒部(20)に抜け止めされている。
【００２０】
本発明の会議テーブルは、上述のような構成であるので、図１に示すように、両可動テーブル(２)が、その対向する長辺(5b)同士を当接させて閉じた状態でも、隙間(７)に投影器等の支持柱を通すことにより、隙間(７)に沿って所望位置に移動させることができる。
【００２１】
また、プレゼンテーションの要求によっては、両可動テーブル(２)を、図１の想像線に示すように任意の角度に開いて、図５に示すように、その中間に投影器(24)を配置し、スクリーン(25)上に画像を投影することができる。
【００２２】
【発明の効果】
請求項１記載の発明によれば、様々なプレゼンテーションのシーンに対応して、２台の可動テーブルを閉じることにより、着席者を互いに身近な位置とすることができ、また着席者は、可動テーブルを開くことにより、画像を使ったプレゼンテーションを、楽な姿勢で見ることができる。さらに、ベーステーブルに可動テーブルが枢着されているので、相互配置の設定も極めて容易である。
【００２３】
請求項２記載の発明によれば、可動テーブルの回動に当たって、可動テーブルの天板がベーステーブルの天板に当接して、開閉の角度が制限されることはなく、しかも構造簡単で、作動確実な構造とすることができる。
【００２４】
請求項３記載の発明によれば、着席者がパソコン等の情報機器を、会議中自由に使用できるように配線できるとともに、可撓性ケーブルダクトが可動テーブルの開閉を妨げることがない。
【００２５】
請求項４記載の発明によれば、可動テーブルを閉じた状態でも、投影器を中央に配置することが可能となる。
【図面の簡単な説明】
【図１】本発明の一実施形態である会議テーブルの平面図である。
【図２】同じく、その側面図である。
【図３】同じく、会議テーブルを構成するベーステーブルと可動テーブルとのジョイント部を天板裏面から見た部分拡大裏面図である。
【図４】同じく、ジョイント部の縦断面図である。
【図５】本発明会議テーブルを開いた状態で投影器とスクリーンとを設置した状態を示す斜視図である。
【符号の説明】
(１)ベーステーブル
(２)可動テーブル
(３)固定脚
(４)天板
(4a)１辺
(５)天板
(5a)短辺
(5b)長辺
(６)凹み
(７)隙間
(８)キャスター
(９)脚板
(10)配線ダクト
(11)配線ボックス
(12)可撓性ケーブルダクト
(13)配線ダクト
(14)配線ボックス
(15)可撓性ケーブルダクト
(16)ジョイント
(17)枢着部支持部材
(18)木ねじ
(19)回転軸
(20)有底筒部
(21)木ねじ
(22)回転軸取付板
(23)ボルト
(24)投影器
(25)スクリーン
【図１】
0003640068.tif 000002
【図２】
0003640068.tif 000003
【図３】
0003640068.tif 000004
【図４】
0003640068.tif 000005
【図５】
0003640068.tif 000006